(57)【要約】【課題】印影を被転写面に転写する印影シートを提供すること。【解決手段】印影シート１は、表側から裏側を視認できる透明度を有する転写シート３、転写シート３の裏面に、被転写面に転写可能に設けられる印影４、及び転写シート３が印影４とともに剥離可能に貼り付けられる台紙２から構成される。転写シート３を台紙２から剥がし、転写シート３の裏面を被転写面に接触することで、容易に、印影４を被転写面に転写することができる。【選択図】図１
2016051125.tif 000002
【特許請求の範囲】
【請求項１】
印影を被転写面に転写する印影シートであって、
表側から裏側を視認できる透明度を有する転写シートと、
前記転写シートの裏面に、前記被転写面に転写可能に設けられる印影と、
前記転写シートが前記印影とともに剥離可能に貼り付けられる裏面シートと、
を備えることを特徴とする印影シート。
【請求項２】
前記印影は、前記転写シートの裏面上に２次元配列される複数の矩形状の領域のそれぞれに設けられることを特徴とする、請求項１に記載の印影シート。
【請求項３】
前記転写シートは、前記複数の矩形状の領域の境界に対応する位置に易破断性切れ目を有することを特徴とする、請求項２に記載の印影シート。
【請求項４】
前記転写シート及び前記裏面シートは、一辺約６６ｍｍ、他辺約５４ｍｍの矩形状を有することを特徴とする、請求項１〜３のいずれか一項に記載の印影シート。
【請求項５】
前記印影は、朱色のインク材から成形されることを特徴とする、請求項１〜４のいずれか一項に記載の印影シート。
【請求項６】
前記印影は、前記転写シートの表面を押圧することで、前記被転写面に転写されることを特徴とする、請求項１〜５のいずれか一項に記載の印影シート。
【請求項７】
前記転写シートの裏面と前記印影との間に設けられるコーティング材をさらに備えることを特徴とする、請求項１〜６のいずれか一項に記載の印影シート。
【発明の詳細な説明】
【技術分野】
【０００１】
本発明は、印影を被転写面に転写する印影シートに関する。
【背景技術】
【０００２】
個人、団体等をしるす印影を文書に付すことで、その責任を証明する習慣がある。ここで、文書に印影を付すために、木、象牙、金属、合成樹脂等の印材を成形してなる立体物の一面に印影となる文字、図形等が刻まれた印象（印鑑とも言う）が用いられる。印章のその一面に朱肉、インク等（以下、インクと総称する）を付け、書面に押し付けることで、書面上に印影を残すことができる。印章には、インクを必要としないインク浸透印も普及している（例えば、特許文献１参照）。しかし、印章やインク浸透印は、その大きさより、常に携帯するには不便なことが多い。
【先行技術文献】
【特許文献】
【０００３】
【特許文献１】特開２００９−１４８９５７号公報
【発明の概要】
【発明が解決しようとする課題】
【０００４】
本発明は、印影を被転写面に転写する印影シートを提供することを課題とする。
【課題を解決するための手段】
【０００５】
本発明の印影シートは、印影を被転写面に転写する印影シートであって、表側から裏側を視認できる透明度を有する転写シートと、転写シートの裏面に、被転写面に転写可能に設けられる印影と、転写シートが印影とともに剥離可能に貼り付けられる裏面シートと、を備えることを特徴とする。
【０００６】
これによれば、転写シートと裏面シートとを剥離し、転写シートの裏面を被転写面に接触することで、印影を被転写面に転写することができる。ここで、「裏面シート」は、転写シートの裏面が他面に偶発的に接触しないように保護するものであり、転写シートが保持される台紙や転写シートの裏面に貼付された薄いフィルムを含む。
【０００７】
本発明の印影シートは、印影は、転写シートの裏面上に２次元配列される複数の矩形状の領域のそれぞれに設けられることを特徴とする。
【０００８】
これによれば、１つの転写シートに複数の印影を設けることができる。
【０００９】
本発明の印影シートは、転写シートは、複数の矩形状の領域の境界に対応する位置に易破断性切れ目を有することを特徴とする。
【００１０】
これによれば、易破断性切れ目を利用して、１つの印影が設けられた矩形状の領域ごとに転写シートを台紙とともに切り離すことができる。ここで、「易破断性切れ目」は、例えばミシン目のように、その箇所が他の箇所よりも切り離し易いように設けられた線状の孔である。ミシン目のように規則的でなく線状に切り離された部分の一部が接続しているものでもよい。
【００１１】
本発明の印影シートは、転写シート及び裏面シートは、一辺約６６ｍｍ、他辺約５４ｍｍの矩形状を有することを特徴とする。
【００１２】
これによれば、印影シートを携帯することができる。
【００１３】
本発明の印影シートは、印影は、朱色のインク材から成形されることを特徴とする。
【００１４】
これによれば、印影シートを簡易印鑑として利用することが可能となる。
【００１５】
本発明の印影シートは、印影は、転写シートの表面を押圧することで、被転写面に転写されることを特徴とする。
【００１６】
これによれば、容易に印影を被転写面に転写することができる。
【００１７】
本発明の印影シートは、転写シートの裏面と印影との間に設けられるコーティング材をさらに備えることを特徴とする。
【００１８】
これによれば、印影を被転写面に転写する際に、コーティング材により転写された印影の表面がコーティングされるため、印影を保護することが可能となる。
【発明の効果】
【００１９】
本発明の印影シートによれば、印影を被転写面に簡便な態様で転写することが可能となる。
【図面の簡単な説明】
【００２０】
【図１】図１（Ａ）及び（Ｂ）は、それぞれ、印影シートの全体構成及び断面構成を示す図である。
【図２】図２は、印影シートの一印影を切り離す様子を示す図である。
【図３】図３は、印影シートの使い方を説明するための図である。
【発明を実施するための形態】
【００２１】
本発明の一実施形態について説明する。
【００２２】
図１に、一実施形態に係る印影シート１の概略構成を示す。図１（Ａ）は正面図、図１（Ｂ）は断面図である。印影シート１は、印影を被転写面に転写するシートであり、転写シート３、印影４、及び台紙２から構成される。また、図１（Ａ）上方の横長長方形に示されるように転写シート３以外の部分を設けて印影シートのサイズを調整してもよい。
【００２３】
転写シート３は、一軸方向（図面上下方向）を長手とする矩形状のシートである。本実施形態では、一例として、携帯に便利なカードサイズより小さいもの、すなわち縦約６６ｍｍ、横約５４ｍｍの矩形状とする。転写シート３には、一辺約１８ｍｍ、他辺約１６．５ｍｍの矩形状の領域（図中、破線に囲まれる領域）が縦４及び横３、計１２配列されている。後述するように、これらの領域に印影４を各１つ設けることで、１つの転写シート３に複数（ここでは１２）の印影４が設けられる。印影シート１は、転写シート３より大きくカードサイズとする。
【００２４】
転写シート３は、一例として、ポリプロピレンなどの合成樹脂から成形され、表側（図面手前側）から裏側（図面奥側）を視認できる程度の透明度を有する。なお、透明度の程度は任意であり、後述するように裏側に配される印影４及び被転写面を視認できれば半透明でもよい。印影４の裏面には、例えば、耐候性、透明性等に優れるアクリル樹脂系の粘着剤が塗布されている。それにより、転写シート３の裏面を、後述する台紙２の表面に貼付け、且つ、使用する際には転写シート３を台紙２から剥離することができる。
【００２５】
印影４は、個人等を証明する任意の形状に成形されたマークである。印影４は、一例として印影シート１を簡易印鑑として利用するために朱色のインク材を用い、これを、印章の外形に対応する円とその内側に個人の氏（図中、「印」と表す）を含む形状に成形して、転写シートの裏面に、その一面に付された粘着剤により粘着することで、設けられている。本実施形態では、矩形状の領域に各１つの印影４を設けている。なお、印影４の形状、色、素材（インク材）は任意であり、後述するように被転写面に転写可能であれば、特にインクの素材の詳細は問わない。
【００２６】
台紙２は、使用前の状態において転写シート３の裏面を覆って印影４を保護するシートであり、転写シート３と同じ大きさ、同じ形状を有する。台紙２は、一例として、紙材から成形され、その表面は離型性のフィルム（不図示）によりコーティングされている。台紙２の表面に、印影４を挟んで、転写シート３（裏面）が貼り付けられる。台紙２から転写シート３を剥がすと、印影４はその裏面に付着した状態で台紙２から剥離する。
【００２７】
上述のように構成された印影シート１において、転写シート３及び台紙２には、それらが重ねられた（転写シート３が台紙２に貼り付けられた）状態において、矩形状の領域の境界に対応する位置にミシン目５が設けられている。それにより、ミシン目５を利用して、１つの印影４が設けられた矩形状の領域ごとに転写シート３を台紙２とともに切り離して、印影４を１つずつ使用することができる。
【００２８】
印影シート１の使い方を説明する。
【００２９】
まず、図２に示すように、ミシン目５を利用して、印影シート１から１つの印影４を含む１つのシート片１ａを切り離す。ここでは、右下のシート片１ａを切り離している。印影シート１は、残りの印影４を別途使用できるよう、携帯することができる。
【００３０】
次に、図３（Ａ）及び（Ｂ）に示すように、切り離したシート片１ａについて、台紙２と転写シート３とを剥離する。印影４は、転写シート３の裏面に付着した状態で、転写シート３とともに台紙２から剥離される。
【００３１】
次に、図３（Ｃ）及び（Ｄ）に示すように、剥離した転写シート３の裏面を被転写面１０に貼り付ける。ここで、転写シート３の透明性により、転写シート３の表面側からその裏面側の被転写面１０（印影４との相対位置）を視認して、転写シート３を被転写面上の目標位置に位置決めして貼り付けることができる。転写シート３の裏面が被転写面１０に接触することで、印影４が被転写面１０上に転写される（印影４を成形するインク材が被転写面１０上に写る）。なお、転写シート３の裏面を被転写面１０に貼り付けた状態で、転写シート３の表面を手指等を用いて押圧してもよい。
【００３２】
最後に、図３（Ｅ）及び（Ｆ）に示すように、被転写面１０から転写シート３を剥がす。それにより、印影４（を成形するインク材）のみが被転写面１０に残る。なお、転写シート３及び台紙２は廃棄する。
【００３３】
以上詳細に説明したように、本実施形態の印影シート１は、表側から裏側を視認できる透明度を有する転写シート３、転写シート３の裏面に、被転写面に転写可能に設けられる印影４、及び転写シート３が印影４とともに剥離可能に貼り付けられる台紙２から構成される。転写シート３を台紙２から剥がし、転写シート３の裏面を被転写面に接触することで、容易に、印影４を被転写面に転写することができる。
【００３４】
また、印影シート１は、カードサイズのシート状であるため携帯に便利であり、適宜シート片１ａを切り離して印影４を使用するため、利便性にも優れる。また、転写シート１の透明性により、印影４と被転写面の相対位置を視認できるため、転写ミスを防止することもできる。
【００３５】
なお、転写シート３の裏面と印影４との間にコーティング材を設けてもよい。それにより、印影４を被転写面に転写した際に、転写された印影４の表面がコーティング材によりコーティングされるため、印影４を保護することができる。
【００３６】
また、台紙２にはミシン目を設けず転写シート３のみにミシン目を設けてもよい。転写シートを台紙から剥離して使用し、使用後の印影シート（台紙を含む）をカードサイズに保つことができる。
【産業上の利用可能性】
【００３７】
本発明の印影シートは、印影を被転写面に転写するのに好適であり、例えばカードのサイズの小型で薄いものとできる。多くの個人による利用が考えられる。
【符号の説明】
【００３８】
１    印影シート
１ａ  シート片
２    台紙
３    転写シート
４    印影
５    ミシン目
１０    被転写面
【図１】
2016051125.tif 000003
【図２】
2016051125.tif 000004
【図３】
2016051125.tif 000005